(57)【特許請求の範囲】
【請求項１】
第１光源により特定の形象を表示する主表示部と、その主表示部の前側において前記主表示部に対向配置された導光板と、その導光板を後側から発光させるための第２光源とを備え、前記導光板は、平板状の導光板本体部と、その導光板本体部から前記導光板用の第２光源に近づく方向へ垂下するように一体的に形成された突出部とを備え、前記導光板本体部の前側から視認できる範囲において、前記導光板本体部と前記突出部との接続部における直交断面部を導光方向に向かって前記導光板本体部の表面に投影した発光領域を囲繞するように凹部を形成したことを特徴とする発光表示部を備えた電子機器。
【請求項２】
前記導光板本体部は、その前側において前記突出部の接続部における直交断面部を導光方向に向かって前記導光板本体部の表面に投影した発光領域に平坦面を有し、その平坦面よりも垂直方向に窪むように前記凹部が設けられたことを特徴とする請求項１記載の発光表示部を備えた電子機器。
【請求項３】
前記突出部の接続部における直交断面部の形状は矩形で構成され、前記導光板本体部の前側に形成された前記凹部は、前から見て２つの半円部とその２つの半円部を接続する２つの平行な直線部とからなる、レーストラック形状であることを特徴とする請求項１または２記載の発光表示部を備えた電子機器。
【請求項４】
前記突出部は、前記第２光源に対向する側に平坦面を有することを特徴とする請求項１から３のいずれか１項に記載の発光表示部を備えた電子機器。
【請求項５】
前記主表示部用の第１光源と前記導光板用の第２光源は、内側に前記主表示部用の第１光源が位置し、その外側に前記導光板用の第２光源が位置する形態にて、同一の基板上に配置され、前記導光板本体部は、前記共通の基板に対向する平板状であることを特徴とする請求項１から４のいずれか１項に記載の発光表示部を備えた電子機器。
【請求項６】
非透光性の素材からなる筐体を備え、前記導光板は、その筐体において前記主表示部を臨むように形成された第１開口部の真上に前記導光板本体部が位置し、前記突出部が前記筐体の第２開口部に挿通するように嵌挿されることを特徴とする請求項１から５のいずれか１項に記載の発光表示部を備えた電子機器。
【請求項７】
前記筐体は、前記第１開口部と前記第２開口部との間において、前側に突出して前記導光板本体部に当接する隆起部を有することを特徴とする請求項６記載の発光表示部を備えた電子機器。
【請求項８】
前記導光板の突出部は、後から見て前記導光板本体部の両側においてそれぞれ直線上に並ぶ方向に複数個配置され、仮想矩形、仮想台形または仮想平行四辺形の頂点に対応する位置にある４カ所においてフック部を有し、そのフック部を介して前記筐体と前記導光板が係合することを特徴とする請求項６または７記載の発光表示部を備えた電子機器。
【発明の詳細な説明】
【技術分野】
【０００１】  本発明は、例えば電力用トランスデューサ、信号変換器または計測制御用遠隔入出力機などの各種計装用の電子機器において、主表示部による透過光の周部に機器本体の制御や設定の状態に応じて発光するインジケータ部を併せて表示できる発光表示部を備えた電子機器に関するものである。
【背景技術】
【０００２】  従来、例えば７つの発光ダイオード（以下、ＬＥＤと称する）が基板状に配置され、それらが選択的に発光することにより数字や文字などの特定の形象を表示することのできるセグメント表示方式の主表示部と、その主表示部の前側においてその主表示部に対して導光板が対向配置され、その導光板の延長部の端部に導光板用のＬＥＤを配置して、特定の形象の主表示に導光板用のＬＥＤ発光を重ねる構成が知られていた（例えば、特許文献１参照）。【０００３】  その従来の技術を、図１０に示した従来の表示装置１００の分解斜視図を参照して説明する。【０００４】  表示装置１００は、樹脂製で非透光性（例えば不透明）のケース１０１に、後方側からリフレクタ１０２と主表示部用発光素子群１０３とからなる主表示部１０４と、導光板１０５と導光板用発光素子対１０６とからなる面発光部１０７とがそれぞれの発光面を前方側に向けて収容され、さらに矩形状の発光基板１０８と裏カバー１０９がケース１０１の後方側を覆っている。【０００５】  また、面発光部１０７は、アクリル等の樹脂やガラス等からなる透光性の単一の導光板１０５と、主表示部用発光素子群１０３毎にその配列方向に沿う両側から挟むような対の形態で配置された６対の導光板用発光素子対１０６を有している。【０００６】  この構成によれば、主表示部用発光素子群１０３の発光に導光板用発光素子対１０６の装飾的な発光が加えられその分装飾性が向上するため、より娯楽性が増大できるという効果があった。【０００７】  また、その構成に類似した別の構成も知られていた（例えば、特許文献２参照）。【０００８】  さらに、他の従来例として、テレビジョン受像機のコントロールパネルにおいて、機器本体の制御や設定の状態を表示するための単一のインジケータ部として導光板を用いた構成が知られ（例えば、特許文献３参照）、車両用の表示装置において文字盤の外側に導光板の反射によるインジケータ部を設けた構成も知られていた（例えば、特許文献４参照）。
【先行技術文献】
【特許文献】
【０００９】
【特許文献１】特開２００６−９４８９３号公報（第１７頁、図５）
【特許文献２】特開２００４−３２５５３０号公報
【特許文献３】特開平１０−１９９３１４号公報
【特許文献４】特開２００５−９１２１８号公報
【発明の概要】
【発明が解決しようとする課題】
【００１０】  しかしながら、前記従来の表示装置の構成では、特定の形象を表示する主表示部の発光に導光板用の発光を重ねる構成であるため、主表示部の表示と導光板用の発光を明確に分離して視認することが困難であるという課題を有していた。【００１１】  つまり、前側から視認される部分に主表示部による透過光の周部に機器本体の制御や設定の状態に応じて発光するインジケータ部を併せて表示することが出来なかった。【００１２】  これにより、主表示部の表示装置とインジケータ部の表示装置を同一筐体内に別々に設ける必要が生じるので、電子機器における発光表示部の簡素化を大きく阻害していた。【００１３】  また、車両用の表示装置の構成も、同様に特定の形象を表示する主表示部の発光に導光板用の発光を重ねる構成であるため、導光板用の発光が主表示部の発光にも影響していた。【００１４】  さらに、相互に隣接する一方のインジケータ部と他方のインジケータ部との発光領域の輪郭（明部と暗部の境界をいう、以下同じ）が明瞭でないため、より集積化した場合や斜めから見た場合にはより顕著に両方の光が混じり合い、その分視認性が低下するという課題を有していた。【００１５】  本発明は、前記従来の課題を解決するもので、前側から視認される部分に主表示部による透過光の周部に機器本体の制御や設定の状態に応じて発光するインジケータ部を併せて表示しても、主表示部の表示と導光板用の発光を明確に分離して視認できるため、主表示部による透過光の周部に機器本体の制御や設定の状態に応じて発光するインジケータ部を併せて表示できる、簡素な構成の発光表示部を備えた電子機器を提供することを目的とする。
【課題を解決するための手段】
【００１６】  前記従来の課題を解決するために、本発明の発光表示部を備えた電子機器は、第１光源により特定の形象を表示する主表示部と、主表示部の前側において主表示部に対向配置された導光板と、導光板を後側から発光させるための第２光源とを備え、導光板は、平板状の導光板本体部と、導光板本体部から導光板用の第２光源に近づく方向へ垂下するように一体的に形成された突出部とを備え、導光板本体部の前側から視認できる範囲において、導光板本体部と突出部との接続部における直交断面部を導光方向に向かって導光板本体部の表面に投影した発光領域を囲繞するように凹部を形成したことを特徴としている。【００１７】  この構成によれば、導光板本体部の内部を通過する導光のうち、インジケータ部に向かわない導光を全反射し、インジケータ部に到達させることができるので、凹部の内側のインジケータ部へ導光を集めることができる。【００１８】  これにより、前側から視認される部分に主表示部による透過光の周部に機器本体の制御や設定の状態に応じて発光するインジケータ部を併せて単一の導光板上に表示しても、主表示部の表示とインジケータ部用の発光を明確に分離して視認できる。【００１９】  つまり、主表示部用の発光がインジケータ部用の発光に影響することが軽減され、かつ、相互に隣接する一方のインジケータ部と他方のインジケータ部との発光領域の輪郭も強調され明瞭となるため、より集積化した場合や斜めから見た場合でも両方の光が混じり合うことなく視認性を向上できる。【００２０】  より詳細に説明すると、凹部の内周側の垂直方向に窪んだ側面は、導光板本体部を通過し、インジケータ部の外側へ漏れようとする導光をインジケータ部の内側に反射させることができるので、内側のインジケータ部へ導光を集めることができる。【００２１】  また、凹部の底面は、導光板本体部の内部を通過して外側に拡がる導光や外側から侵入する不要な導光を反射し、凹部の外周側の側面は、隣接する主表示部を発光するための第１光源または隣接するインジケータ部を発光するための第２光源から導光板の内部において反射、拡散して来た不要な導光を反射することができるため、凹部の前に出射される光の量を減らし容易に凹部において暗部を形成することができる。【００２２】  結果として、前述したような効果が得られるとともに、主表示部の表示装置とインジケータ部の表示装置を同一筐体内に別々に設ける必要がなくなり、簡素な構成の発光表示部を備えた電子機器を提供できる。【００２３】  また、本発明の発光表示部を備えた電子機器は、前記構成に加え、導光板本体部は、その前側において突出部の接続部における直交断面部を導光方向に向かって導光板本体部の表面に投影した発光領域に平坦面を有し、その平坦面よりも垂直方向に窪むように凹部が設けられることが好ましい。【００２４】  この構成によれば、平坦面が第２光源から突出部へ入射した光を導光板本体部の前面において拡散させることなく放射できるとともに、垂直方向に窪んだ凹部によって導光板本体部を通過し、インジケータ部の外側へ漏れようとする導光をインジケータ部の内側に反射させることができるので、凹部の内側のインジケータ部へ導光を集めることができる。【００２５】  これにより、主表示部や隣接するインジケータ部の発光が導光板用の発光に影響することが軽減され、かつ、その発光領域の輪郭も強調され明瞭となるため、より集積化した場合や斜めから見た場合でも両方の光が混じり合うことなく視認性を向上できる。【００２６】  特に、斜めから見た場合には、その凹部はオペレータによって容易に視認されるため、発光部分と非発光部分とが明確に分離されて視認できるので、制御や設定の状態に応じて発光するインジケータ部の発光状態がオペレータにより容易に確認できる。【００２７】  また、本発明の発光表示部を備えた電子機器は、前記構成に加え、突出部の接続部における直交断面部の形状は矩形で構成され、導光板本体部の前側に形成された凹部は、前から見て２つの半円部とその２つの半円部を接続する２つの平行な直線部とからなる、レーストラック形状であることが好ましい。【００２８】  この構成によれば、導光板の突出部における導光の量を確保し、第２光源から前方向へ効率的に導光させることができるのに加え、導光板本体部の凹部の半円部によって外光の写り込みも軽減できるため、より視認性を向上できる。【００２９】  また、本発明の発光表示部を備えた電子機器は、前記構成に加え、突出部は、第２光源に対向する側に平坦面を有することが好ましい。【００３０】  この構成によれば、第２光源から放射される平行な光を突出部の先端部で屈折させることなく、そのまま平行な導光として選択的に導光板本体部へ侵入させることが容易となるため、導光方向から外れ途中で外部に漏れる光量を少なくし、その分インジケータ部の発光領域に到達する光量を増やすことができる。【００３１】  すなわち、より一層明瞭にインジケータ部を視認できる。【００３２】  また、本発明の発光表示部を備えた電子機器は、前記構成に加え、主表示部用の第１光源と導光板用の第２光源は、内側に主表示部用の第１光源が位置し、その外側に導光板用の第２光源が位置する形態にて、同一の基板上に配置され、導光板本体部は、共通の基板に対向する平板状であることが好ましい。【００３３】  この構成によれば、単一の基板によって第１光源と第２光源のいずれにおいても、発光及び消光制御が可能となるので、より構成を簡素化できる。【００３４】  また、本発明の発光表示部を備えた電子機器は、前記構成に加え、非透光性の素材からなる筐体を備え、導光板は、その筐体において主表示部を臨むように形成された第１開口部の真上に導光板本体部が位置し、突出部が筐体の第２開口部に挿通するように嵌挿されることが好ましい。【００３５】  この構成によれば、第１開口部と第２開口部とが別々の開口部であるため、主表示部から第１開口部を通過する光と導光板の突出部に導光され第２開口部を通過する光とが相互に干渉することが軽減され、主表示部の表示とインジケータ部用の発光とを明確に分離して視認できる。【００３６】  また、本発明の発光表示部を備えた電子機器は、前記構成に加え、筐体は、第１開口部と第２開口部との間において、前側に突出して導光板本体部に当接する隆起部を有することが好ましい。【００３７】  この構成によれば、前側に突出して導光板本体部に当接する隆起部が、より遮光効果���高め、主表示部から第１開口部を通過する光と導光板の突出部に導光され第２開口部を通過する光とが相互に干渉することが軽減され、主表示部の表示とインジケータ部用の発光とを明確に分離して視認できる。【００３８】  また、本発明の発光表示部を備えた電子機器は、前記構成に加え、導光板の突出部は、後から見て導光板本体部の両側においてそれぞれ直線上に並ぶ方向に複数個配置され、仮想矩形、仮想台形または仮想平行四辺形の頂点に対応する位置にある４カ所においてフック部を有し、そのフック部を介して筐体と導光板が係合することが好ましい。【００３９】  この構成によれば、導光板を表側から容易に筐体に結合することができるばかりでなく、４カ所の突出部にフック部を設けることにより、筐体と平板状の導光板本体との結合が容易となるばかりでなく、筐体内に配置される第１光源や第２光源の実装平面に対する導光板本体部の傾きが小さくなるため、両者の平行度を所望の公差内に収めることができる。
【発明の効果】
【００４０】  本発明の発光表示部を備えた電子機器によれば、主表示部による透過光の周部に機器本体の制御や設定の状態に応じて発光するインジケータ部を併せて表示できる、簡素な構成の発光表示部を備えた電子機器を提供できる。
【図面の簡単な説明】
【００４１】
【図１】本発明の実施の形態における電子機器の前面パネル部側から見た全体斜視図
【図２】（ａ）本発明の実施の形態における電子機器の正面図、（ｂ）本発明の実施の形態における電子機器の導光板を外した部分正面図
【図３】インジケータ部とその近傍の正面図
【図４】インジケータ部の突出部の構造を示す部分断面斜視図
【図５】インジケータ部とその近傍のＡ−Ａ断面図
【図６】前面パネル部と嵌挿前の導光板の関係を示す斜視図
【図７】（ａ）導光板嵌挿後の前面パネル部の背面図、（ｂ）導光板の背面図
【図８】（ａ）電子機器のＢ−Ｂ断面位置を示す正面図、（ｂ）Ｂ−Ｂ断面図
【図９】（ａ）凹部と発光領域の第１の変形例を示す図、（ｂ）凹部と発光領域の第２の変形例を示す図、（ｃ）凹部と発光領域の第３の変形例を示す図
【図１０】従来の表示装置の分解斜視図
【発明を実施するための形態】
【００４２】  以下、本発明を実施するための形態について、図面を参照して説明する。
【００４３】  ここで、図１は、本発明の実施の形態における電子機器の前面パネル部側から見た全体斜視図で、図２（ａ）は、本発明の実施の形態における電子機器の正面図で、図２（ｂ）は、本発明の実施の形態における電子機器の導光板を外した部分正面図で、図３は、インジケータ部とその近傍の正面図で、図４は、インジケータ部の突出部の構造を示す部分断面斜視図で、図５は、インジケータ部とその近傍のＡ−Ａ断面図で、図６は、前面パネル部と嵌挿前の導光板の関係を示す斜視図で、図７（ａ）は、導光板嵌挿後の前面パネル部の背面図で、図７（ｂ）は、導光板の背面図で、図８（ａ）は、電子機器のＢ−Ｂ断面位置を示す正面図で、図８（ｂ）は、Ｂ−Ｂ断面図で、図９（ａ）は、凹部と発光領域の第１の変形例を示す図で、図９（ｂ）は、凹部と発光領域の第２の変形例を示す図で、図９（ｃ）は、凹部と発光領域の第３の変形例を示す図である。
【００４４】  まず、図１において、本発明の実施の形態における電子機器１０は、いわゆる工業用計測の分野で使用される機器であって、例えば電圧、電流、有効電力、無効電力、皮相電力、力率などの計測や計測値の表示などを可能とする電力用マルチメータや電力用トランスデューサ、各種センサーの計測信号を変換、表示、警報出力などを行う信号変換器、あるいは現場に設置された検出端（測温抵抗体、差圧発信器など）と中央制御室などに設置された受発信器（指示計、記録計、調節計、ＰＬＣ、ＤＣＳ、コンピュータなど）との間のデータ通信をネットワークにより行う計測制御用遠隔入出力機など各種各様に適用可能である。
【００４５】  以下の説明を容易にするため、電子機器１０の幅方向をＸ方向、奥行き方向をＹ方向、高さ方向をＺ方向とし、Ｘ方向、Ｙ方向及びＺ方向は、相互に直交する方向と定義する。
【００４６】  この場合、電子機器１０が取り付けられるレール状構造物（図示せず）の延在方向はＸ方向と一致する。
【００４７】  通常、Ｘ方向に延在するレール状構造物には、計測対象が多数存在するため数十台以上の同一または類似する電子機器が相互に隣接し、かつ、それらは密接して取り付けられることが一般的である。
【００４８】  ここで、電子機器１０の本体側の筐体は、レール状構造物の延在するＸ方向と直交するＹ方向において、積層するように４つに分割され、その前側から、前面パネル部１１、２つの中間筐体部１２、背面パネル部１３の４つの筐体から構成されている。
【００４９】  そして、背面パネル部１３の背面側には、レール状構造物を挟み込むことにより、電子機器１０を取り付けるためのスライダー１４が２つ配置されている。
【００５０】  一方、前面パネル部１１は、例えば非透光性の素材として不透明に着色されたプラスティック素材や金属素材などからなり、その前側には、例えば、アクリル製プラスティック、ポリカーボネイト（ＰＣ）樹脂、シクロオレフィン系樹脂（ＣＯＰ）などの素材からなる導光板１５が配置されている。
【００５１】  前面パネル部１１は、導光板１５の後側において数字や文字などの特定の形象を表示する主表示部１６（図２参照）を格納し、導光板１５と主表示部１６を対向配置させている。
【００５２】  次に、図２（ａ）と図２（ｂ）を参照してさらに詳細に説明する。
【００５３】  ここで、前面パネル部１１に嵌挿された導光板１５は、ＸＺ平面において拡がりをもつ平板状の導光板本体部１５ａを有している。
【００５４】  そして、導光板１５は、非透光性の素材からなる前面パネル部１１に主表示部１６を臨むように形成された第１開口部１１ａの真上に導光板本体部１５ａが位置し、導光板１５の複数の突出部１５ｃ（図４参照）がそれぞれに対応した第２開口部１１ｂに挿通するように嵌挿されている。
【００５５】  また、導光板本体部１５ａは、７つのＬＥＤからなる第１光源１６ａが基板１８（図８（ｂ）参照）上に配置され、それらが選択的に発光することにより数字や文字などの特定の形象を表示することのできる、セグメント表示方式の主表示部１６の光を前側から視認できるように透光させている。
【００５６】  そして、導光板本体部１５ａの上下両側と右側においては、それぞれが直線上に並ぶ複数個のインジケータ部１５ｂが配置されている。
【００５７】  次に、図３を参照して前から見たインジケータ部１５ｂとその近傍の構成を詳細に説明する。
【００５８】  ここで、導光板本体部１５ａの前側から視認できる範囲において、導光板本体部１５ａと突出部１５ｃ（図４参照）との接続部における、突出部１５ｃの垂下方向と直交する直交断面部１６ｄ（図４参照）を、矢印で示した導光方向に向かって導光板本体部１５ａの表面に投影した発光領域１５ｅは、破線の矩形と破線のハッチングで示した領域となる。
【００５９】  そして、この発光領域１５ｅに平坦面を有するインジケータ部１５ｂを設け、前から見て発光領域１５ｅを囲繞するように、かつ、その平坦面よりも垂直方向に窪むように凹部１５ｆが形成されている。
【００６０】  また、直交断面部１５ｄを導光方向に向かって導光板本体部１５ａの表面に投影した発光領域１５ｅの形状からも明らかなように、突出部１５ｃの接続部における直交断面部１５ｄの形状は前から見て矩形で構成されている。
【００６１】  そして、導光板本体部１５ａの前側に形成された凹部１５ｆは、内周側の側面１５１、底面１５２及び外周側の側面１５３から構成され、前から見て左右２つの半円部とその２つの半円部を接続する上下２つの平行な直線部とからなる、レーストラック形状となっている。
【００６２】  ここで、本実施の形態においては、少なくともレーストラック形状の凹部１５ｆは、発光領域１５ｅを囲繞するように形成されていればよく、外周側の側面１５３を含み、その内側に発光領域１５ｅが位置すればよい。
【００６３】  より好ましくは、底面１５２の一点鎖線で示したセンターラインよりも内側に発光領域が位置するように位置関係を設定するのがよい。
【００６４】  ここで、一点鎖線で示したセンターラインは、レーストラック形状であって、平行な直線部においては、内周側の側面１５１と外周側の側面１５３のいずれに対しても同じ間隔で離間し、半円部においては、内周側の側面１５１の半円を形成する半径と外周側の側面１５３の半円を形成する半径の中央値となる半径を有する半円であるものとする。
【００６５】  これにより、導光板１５の突出部１５ｃにおける導光の量を確保し、第２光源１７から前方向へ効率的に導光させることができるのに加え、導光板本体部１５ａの凹部１５ｆの半円部によって左右の斜めから見たときの内周側の側面１５１への外光の写り込みも軽減できるため、より視認性を向上できる。
【００６６】  次に、図４を参照して、インジケータ部１５ｂと突出部１５ｃとの関係を詳細に説明する。
【００６７】  導光板１５を後側から発光させるためのＬＥＤの第２光源１７が、基板１８（図８（ｂ）参照）上に実装され、平板状の導光板本体部１５ａから導光板１５用の第２光源１７に近づく方向へ垂下するように突出部１５ｃが一体的に形成されている。
【００６８】  ここで、市松模様で示した平行四辺形は、導光板本体部１５ａと突出部１５ｃとの接続部における導光方向と直交する直交断面部１５ｄを示している。
【００６９】  この場合、矢印で示した導光方向とは、ＸＺ平面において拡がりをもつ平板状の導光板本体部１５ａに対して垂下した突出部１５ｃの垂下方向と一致するため、Ｙ方向であるということが出来る。
【００７０】  したがって、Ｙ方向である導光方向と直交する直交断面部１５ｄは、ＸＺ平面により切断された仮想の断面部である。
【００７１】  そして、導光板本体部１５ａの前側から視認できる範囲において、この直交断面部１５ｄを矢印で示した導光方向に向かって導光板本体部１５ａの表面に投影した導光板本体部１５ａの発光領域１５ｅに前述したインジケータ部１５ｂが設けられている。
【００７２】  一方、この図からも明らかなように、突出部１５ｃは、第２光源１７に対向する側に平坦面１５ｇ（図５参照）を有している。
【００７３】  次に、図５を参照して、突出部１５ｃの平坦面１５ｇの導光効果について説明する。
【００７４】  前述したように、突出部１５ｃは、第２光源１７に対向する側に平坦面１５ｇを有しているため、第２光源１７から放射される平行な光を突出部１５ｃの先端部で屈折させることなく、そのまま平行な導光Ａとして選択的に導光板本体部１５ａへ侵入させることが容易となる。
【００７５】  したがって、矢印で示した導光方向から外れ途中で突出部１５ｃの外部に漏れる光量を少なくし、その分インジケータ部１５ｂの発光領域１５ｅ（図３参照）に到達する光量を増やすことができる。
【００７６】  すなわち、より一層明瞭にインジケータ部１５ｂを視認できる。
【００７７】  同様に、図５を参照して、導光板本体部１５ａの前側に形成された、内周側の側面１５１、底面１５２及び外周側の側面１５３から構成された凹部１５ｆの遮光効果について説明する。
【００７８】  ここで、導光板本体部１５ａの前側から視認できる範囲において、導光板本体部１５ａと突出部１５ｃ（図４参照）との接続部における直交断面部１５ｄを破線で示している。
【００７９】  すなわち、直交断面部１５ｄを矢印で示した導光方向に向かって導光板本体部１５ａの表面に投影した領域が前述した発光領域１５ｅ（図３参照）となる。
【００８０】  そして、この発光領域１５ｅに平坦面を有するインジケータ部１５ｂが設けられ、前から見て発光領域１５ｅを囲繞するように、かつ、その平坦面よりも垂直方向に窪むように凹部１５ｆが形成されている。
【００８１】  例えば、導光板１５の素材として代表的なアクリル素材を用いた場合、導光板１５から空気に向かう光で全反射のおきる臨界角θは、導光板の屈折率をｎ１、空気の屈折率をｎ２とした場合、次の（数１）で表される。
【００８２】
【数１】
0005445783.tif 000002
すなわち、アクリル素材の屈折率ｎ１が１．４９で、空気の屈折率ｎ２が１であることから（数１）によって、臨界角θは、４２．２°となる。
【００８３】  したがって、その臨界角θを超える入射角の光は、凹部１５ｆの内周側の側面１５１、底面１５２及び外周側の側面１５３のそれぞれにおいて矢印で示したように全反射される。
【００８４】  まず、凹部１５ｆの内周側の側面１５１によって、突出部１５ｃから導光板本体部１５ａを通過する導光のうち、突出部１５ｃから直進して来た光など前述したインジケータ部１５ｂに向かわない導光Ｂを全反射し、インジケータ部１５ｂに到達させることができるので、凹部１５ｆの内側のインジケータ部１５ｂへ導光Ｂを集めることができる。
【００８５】  これにより、前側から視認される部分に主表示部１６による透過光の周部に機器本体の制御や設定の状態に応じて発光するインジケータ部１５ｂを併せて単一の導光板１５上に表示しても、主表示部１６の表示とインジケータ部１５ｂ用の発光を明確に分離して視認できる。
【００８６】  つまり、主表示部１６用の発光がインジケータ部１５ｂ用の発光に影響することが軽減され、かつ、相互に隣接する一方のインジケータ部１５ｂと他方のインジケータ部１５ｂとの発光領域の輪郭も強調され明瞭となるため、より集積化した場合や斜めから見た場合でも両方の光が混じり合うことなく視認性を向上できる。
【００８７】  より詳細に説明すると、凹部１５ｆの内周側の垂直方向に窪んだ内周側の側面１５１は、導光板本体部１５ａを通過し、インジケータ部１５ｂの外側へ漏れようとする導光をインジケータ部１５ｂの内側に反射させることができるので、内側のインジケータ部１５ｂへ導光Ｂを集めることができる。
【００８８】  また、凹部１５ｆの底面１５２は、導光板本体部１５ａの内部を通過して外側に拡がる導光Ｃや外側から侵入する不要な導光Ｄを反射し、凹部１５ｆの外周側の側面１５３は、隣接する主表示部１６を発光するための第１光源１６ａまたは隣接するインジケータ部１５ｂを発光するための第２光源１７から導光板１５の内部において反射、拡散して来た不要な導光Ｅを反射することができるため、凹部１５ｆの前に出射される光の量を減らし容易に凹部１５ｆにおいて暗部を形成することができる。
【００８９】  結果として、この凹部１５ｆにより、発光領域１５ｅの輪郭が強調され明瞭となるため、より集積化した場合や斜めから見た場合でも両方の光が混じり合うことなく視認性を向上できる。
【００９０】  また、主表示部１６の表示装置とインジケータ部１５ｂの表示装置を同一筐体内に別々に設ける必要がなくなり、簡素な構成の発光表示部を備えた電子機器１０を提供できる。
【００９１】  また、主表示部１６用の第１光源１６ａ（図２（ｂ）参照）と導光板１５用の第２光源１７は、内側に主表示部１６用の第１光源１６ａが位置し、その外側に導光板１５用の第２光源１７が位置する形態にて、同一の基板１８上に配置され、導光板本体部１５ａは、共通の基板１８に対向する平板状となっている。
【００９２】  これにより、単一の基板１８によって第１光源１６ａと第２光源１７のいずれにおいても、発光及び消光制御が可能となるので、より構成を簡素化できる。
【００９３】  同様に、図５を参照して、インジケータ部１５ｂの平坦面と凹部１５ｆの構成と効果について説明する。
【００９４】  導光板本体部１５ａは、その前側において突出部１５ｃの接続部における直交断面部１５ｄを導光方向に向かって導光板本体部１５ａの表面に投影した発光領域１５ｅに平坦面を有し、その平坦面よりも垂直方向に窪むように凹部１５ｆが設けられている。
【００９５】  これにより、平坦面が第２光源１７から突出部１５ｃへ入射した光を導光板本体部１５ａの前面において拡散させることなく放射できるとともに、垂直方向に窪んだ凹部１５ｆによって導光板本体部１５ａを通過し、インジケータ部１５ｂの外側へ漏れようとする導光Ｂをインジケータ部１５ｂの内側に反射させることができるので、凹部１５ｆの内側のインジケータ部１５ｂへ導光Ｂを集めることができる。
【００９６】  したがって、主表示部１６用の発光がインジケータ部１５ｂ用の発光に影響することが軽減され、かつ、相互に隣接する一方のインジケータ部１５ｂと他方のインジケータ部１５ｂとの発光領域の輪郭も強調され明瞭となるため、より集積化した場合や斜めから見た場合でも両方の光が混じり合うことなく視認性を向上できる。
【００９７】  特に、斜めから見た場合には、その凹部１５ｆの内周側の側面１５１はオペレータによって容易に視認されるため、発光部分と非発光部分とが明確に分離されて視認できるので、制御や設定の状態に応じて発光するインジケータ部１５ｂの発光状態がオペレータにより容易に確認できる。
【００９８】  次に、図６を参照して、前面パネル部１１と導光板１５との関係を説明する。
【００９９】  前述したように、導光板１５は、破線の矢印で示したＹ方向に向かって前面パネル部１１に嵌挿される。
【０１００】  ここで、ＸＺ平面において拡がりをもつ平板状の導光板本体部１５ａの上下両側と右側においては、それぞれが直線上に並ぶ複数個のインジケータ部１５ｂが配置され、それらに対応した複数の突出部１５ｃが前面パネル部１１の第２開口部１１ｂに挿通するように嵌挿される。
【０１０１】  そして、嵌挿後は、導光板本体部１５ａが、前面パネル部１１に主表示部１６を臨むように形成された第１開口部１１ａの真上に導光板本体部１５ａが位置している。
【０１０２】  この構成によれば、第１開口部１１ａと第２開口部１１ｂとが別々の開口部であるため、主表示部１６から第１開口部１１ａを通過する光と導光板１５の突出部１５ｃに導光され第２開口部１１ｂを通過する光とが相互に干渉することが軽減され、主表示部１６の表示とインジケータ部１５ｂ用の発光とを明確に分離して視認できる。
【０１０３】  また、前面パネル部１１は、第１開口部１１ａと第２開口部１１ｂとの間において、前側に突出した隆起部１１ｃを有し、嵌挿後に導光板本体部１５ａに当接するように設定されている。
【０１０４】  この構成によれば、前側に突出して導光板本体部１５ａに当接する隆起部１１ｃが、より遮光効果を高め、主表示部１６から第１開口部１１ａを通過する光と導光板１５の突出部１５ｃに導光され第２開口部１１ｂを通過する光とが相互に干渉することが軽減され、主表示部１６の表示とインジケータ部１５ｂ用の発光とを明確に分離して視認できる。
【０１０５】  また、導光板１５の突出部１５ｃは、後から見て仮想台形の頂点に対応する位置にある４カ所においてフック部１５ｈを有し、そのフック部１５ｈを介して前面パネル部１１と導光板１５が係合している。
【０１０６】  次に、図７（ａ）と図７（ｂ）を参照して、嵌挿後の導光板１５と前面パネル部１１との関係を説明する。
【０１０７】  導光板１５が前面パネル部１１に嵌挿された後の状態においては、フック部１５ｈが、前面パネル部１１の第１開口部１１ａを上下から挟むように背面側に上下２カ所ずつ合計４カ所に形成されたサポート部１１ｄのＴ字形状の頂面部と嵌合している。
【０１０８】  また、導光板１５の突出部１５ｃは、後から見て破線で示した仮想台形の頂点に対応する４カ所においてフック部１５ｈを有し、フック部１５ｈを介して前面パネル部１１と導光板１５が係合している。
【０１０９】  この構成によれば、４カ所の突出部１５ｃにフック部１５ｈを設けることにより、前面パネル部１１と導光板１５との結合が容易となっている。
【０１１０】  また、前面パネル部１１の内部に配置される第１光源１６ａや第２光源１７の実装平面に対する導光板本体部１５ａの傾きが小さくなるため、両者の平行度を所望の公差内に収めることができる。
【０１１１】  なお、導光板１５の突出部１５ｃは、後から見て破線で示した仮想台形の頂点に対応する４カ所においてフック部１５ｈを有しているが、他に仮想矩形または仮想平行四辺形の頂点に対応する４カ所にフック部を有するようにしても同様の効果が得られる。
【０１１２】  次に、図８（ａ）と図８（ｂ）を参照して、導光板１５、前面パネル部１１及び基板１８の関係を説明する。
【０１１３】  基板１８は、その上下方向の両側で前面パネル部１１にネジ固定され、前面パネル部１１に対して位置決めがなされ、前述したように導光板本体部１５ａが、前面パネル部１１に主表示部１６を臨むように形成された第１開口部１１ａの真上に導光板本体部１５ａが位置するように嵌挿されている。
【０１１４】  また、それぞれのインジケータ部１５ｂに対応した突出部１５ｃが前面パネル部１１の第２開口部１１ｂに挿通され、下側のフック部１５ｈのようにサポート部１１ｄのＴ字形状の頂面部と嵌合している。
【０１１５】  また、前面パネル部１１は、第１開口部１１ａと第２開口部１１ｂとの間において、前側に突出した隆起部１１ｃを有し、嵌挿後に導光板本体部１５ａに当接している。
【０１１６】  一方、主表示部１６用の第１光源１６ａ（図２（ｂ）参照）と導光板１５用の第２光源１７は、内側に主表示部１６用の第１光源１６ａが位置し、その外側に導光板１５用の第２光源１７が位置する形態にて、同一の基板１８上に配置されている。
【０１１７】  この構成によれば、単一の基板１８によって第１光源１６ａと第２光源１７のいずれにおいても、発光及び消光制御が可能となるので、より構成を簡素化できる。
【０１１８】  次に、図９（ａ）〜（ｃ）を参照して、凹部１５ｆと発光領域１５ｅの変形例を説明する。
【０１１９】  図９（ａ）で示したように、凹部２５ｆは、真円形状の内周側の側面２５１、底面２５２及び楕円形状の外周側の側面２５３から構成されている。
【０１２０】  この場合、破線で示した矩形の内側の領域が発光領域２５ｅとして設定されているため、凹部２５ｆの内周側の側面２５１が全方位に亘って均一的に導光を内側に反射し、インジケータ部２５ｂ全体を発光させている。
【０１２１】  また、凹部２５ｆは発光領域２５ｅを囲繞するように形成されているため、外周側の側面２５３の内側に発光領域２５ｅが位置しており、発光領域２５ｅと外周側の側面２５３に挟まれた底面２５２の領域に暗部が形成されている。
【０１２２】  図９（ｂ）で示したように、内周側の側面が形成されておらず、凹部３５ｆは、角丸四角形の側面３５２と底面３５１から構成されている。
【０１２３】  この場合、発光領域３５ｅと側面３５２に挟まれた底面３５１の領域に暗部が形成され、側面３５２が遮光効果を有している。
【０１２４】  図９（ｃ）で示したように、前述した凹部１５ｆと同一の形状を有する凹部４５ｆは、内周側の側面４５１、底面４５２及び外周側の側面４５３とから構成されている。
【０１２５】  この場合、破線で示した矩形の内側の領域が発光領域４５ｅとして設定されているため、凹部４５ｆが発光領域４５ｅを囲繞するように形成されている。
【０１２６】  ここで、前述した凹部１５ｆと発元領域１５ｅとの関係と比較した場合、内周側の側面４５１よりも内側に発光領域４５ｅが位置するため、突出部（図示せず）の先端部から直進して来た導光が内周側の側面４５１に反射することなく、インジケータ部４５ｂの周部にも暗部を形成できる。
【０１２７】  なお、本発明の技術的範囲は、上述した実施の形態に限定されるものでなく、請求項に示した範囲で種々の変形が可能であり、異なる実施の形態にそれぞれ開示された技術的な手段を適宜組み合わせて得られる実施の形態の変形例についても本発明の技術的範囲に含まれるものとする。
【産業上の利用可能性】
【０１２８】  本発明にかかる発光表示部を備えた電子機器は、例えば電力用トランスデューサ、信号変換器または計測制御用遠隔入出力機などの各種計装用の電子機器において、主表示部による透過光の周部に機器本体の制御や設定の状態に応じて発光するインジケータ部を併せて表示できる発光表示部を備えた電子機器等として有用である。
【符号の説明】
【０１２９】１０    電子機器１１    前面パネル部１１ａ    第１開口部１１ｂ    第２開口部１１ｃ    隆起部１１ｄ    サポート部１２    中間筐体部１３    背面パネル部１４    スライダー１５    導光板１５ａ    導光板本体部１５ｂ    インジケータ部１５ｃ    突出部１５ｄ    直交断面部１５ｅ    発光領域１５ｆ    凹部１５ｇ    平坦面１５ｈ    フック部１５１    内周側の側面１５２    底面１５３    外周側の側面１６    主表示部１６ａ    第１光源１７    第２光源１８    基板２５ｂ    インジケータ部２５ｅ    発光領域２５ｆ    凹部２５１    内周側の側面２５２    底面２５３    外周側の側面３５ｅ    発光領域３５ｆ    凹部３５１    底面３５２    側面４５ｂ    インジケータ部４５ｅ    発光領域４５ｆ    凹部４５１    内周側の側面４５２    底面４５３    外周側の側面
【図１】
0005445783.tif 000003
【図２】
0005445783.tif 000004
【図３】
0005445783.tif 000005
【図４】
0005445783.tif 000006
【図５】
0005445783.tif 000007
【図６】
0005445783.tif 000008
【図７】
0005445783.tif 000009
【図８】
0005445783.tif 000010
【図９】
0005445783.tif 000011
【図１０】
0005445783.tif 000012